【手続補正書】
【提出日】平成28年9月26日(2016.9.26)
【手続補正１】
【補正対象書類名】明細書
【補正対象項目名】発明の名称
【補正方法】変更
【補正の内容】
【発明の名称】表示装置
【手続補正２】
【補正対象書類名】特許請求の範囲
【補正対象項目名】全文
【補正方法】変更
【補正の内容】
【特許請求の範囲】
【請求項１】
放送信号またはインターネットを介してコンテンツを受信して表示可能な表示装置であって、
モバイル端末と通信する通信部と、
コンテンツを表示可能な表示部と、
前記表示部を制御可能な制御部と、を備え、
前記制御部は、
放送信号を介して取得した第１のコンテンツを前記表示部に表示し、
前記通信部が前記モバイル端末から第１の情報を受信したときに、前記表示部での前記第１のコンテンツの表示を終了し、前記モバイル端末が前記第１の情報を送信する前に前記モバイル端末の有する画面で表示していた表示内容が動的に変化するコンテンツと同じコンテンツであって、表示内容が動的に変化する第２のコンテンツを、前記第１の情報に含まれる、前記モバイル端末がログインしていたインターネットサイトのログインに関する情報を用いて、該インターネットサイトからインターネットを介して取得し、前記表示部で前記第２のコンテンツの表示を開始し、前記表示部における前記第２のコンテンツの表示の開始においては、前記第２のコンテンツの初期の表示内容で表示を開始するのではなく、前記第１の情報に基づいて表示内容が変化した表示状態で前記第２のコンテンツの表示を開始し、
前記通信部が前記モバイル端末から、前記表示部で表示されている前記第２のコンテンツを操作するための第２の情報を受信したときに、前記第２の情報に基づいて前記表示部に表示されている前記第２のコンテンツの表示内容の操作制御を行い、
前記通信部が前記モバイル端末から、第３の情報を受信したときに、前記表示部での前記第２のコンテンツの表示を終了する、
制御を行う、表示装置。
【請求項２】
請求項１に記載の表示装置において、
さらに映像処理部を備え、
前記映像処理部は、放送信号を介して取得したコンテンツとインターネットを介して取得したコンテンツの両者について映像処理を実行する、表示装置。
【請求項３】
放送信号またはインターネットを介してコンテンツを受信して表示可能な表示装置であって、
モバイル端末と通信する通信部と、
コンテンツを表示可能な表示部と、
前記表示部を制御可能な制御部と、を備え、
前記制御部は、
放送信号を介して取得した第１のコンテンツを前記表示部に表示し、
前記通信部が前記モバイル端末から第１の情報を受信したときに、前記表示部での前記第１のコンテンツの表示を終了し、前記モバイル端末が前記第１の情報を送信する前に前記モバイル端末の有する画面で表示していた表示内容が動的に変化するコンテンツと同じコンテンツであって、表示内容が動的に変化する第２のコンテンツを、前記第１の情報に含まれる、前記モバイル端末がログインしていたインターネットサイトのログインに関する情報を用いて、該インターネットサイトからインターネットを介して取得し、前記表示部で前記第２のコンテンツの表示を開始し、前記表示部における前記第２のコンテンツの表示の開始においては、前記第２のコンテンツの初期の表示内容で表示を開始するのではなく、前記第１の情報に基づいて表示内容が変化した表示状態で前記第２のコンテンツの表示を開始し、
前記通信部が前記モバイル端末から、前記表示部で表示されている前記第２のコンテンツを操作するための第２の情報を受信したときに、前記第２の情報に基づいて前記表示部に表示されている前記第２のコンテンツの表示内容の操作制御を行い、
前記通信部が前記モバイル端末から、第３の情報を受信したときに、前記表示部での前記第２のコンテンツの表示を終了し、前記表示部において、放送信号を介して受信したコンテンツの表示を開始する、
制御を行う、表示装置。
【請求項４】
請求項３に記載の表示装置において、
さらに映像処理部を備え、
前記映像処理部は、放送信号を介して取得したコンテンツとインターネットを介して取得したコンテンツの両者について映像処理を実行する、表示装置。
【請求項５】
放送信号またはインターネットを介してコンテンツを受信して表示可能な表示装置であって、
モバイル端末と通信する通信部と、
コンテンツを表示可能な表示部と、
前記表示部を制御可能な制御部と、を備え、
前記制御部は、
放送信号を介して取得した第１のコンテンツを前記表示部に表示し、
前記通信部が前記モバイル端末と第１の通信を行ったときに、前記表示部での前記第１のコンテンツの表示を終了し、
前記モバイル端末と前記第１の通信を行う前に前記モバイル端末の有する画面で表示していたコンテンツと同じコンテンツであって、表示内容が動的に変化する第２のコンテンツを、前記第１の通信により取得した、前記モバイル端末がログインしていたインターネットサイトのログインに関する情報を用いて、該インターネットサイトからインターネットを介して取得し、前記表示部で前記第２のコンテンツの表示を開始し、前記表示部における前記第２のコンテンツの表示の開始においては、前記第２のコンテンツの初期の表示内容で表示を開始するのではなく、前記第１の通信に基づいて表示内容が変化した表示状態で前記第２のコンテンツの表示を開始し、
前記通信部が、前記モバイル端末と、前記表示部で表示されている前記第２のコンテンツを操作するための第２の通信を行ったときに、前記第２の通信に基づいて前記表示部に表示されている第２のコンテンツの表示内容の操作制御を行い、
前記通信部が前記モバイル端末と第３の通信を行ったときに、前記表示部での前記第２のコンテンツの表示を終了する、
制御を行う、表示装置。
【請求項６】
請求項５に記載の表示装置において、
さらに映像処理部を備え、
前記映像処理部は、放送信号を介して取得したコンテンツとインターネットを介して取得したコンテンツの両者について映像処理を実行する、表示装置。
【請求項７】
放送信号またはインターネットを介してコンテンツを受信して表示可能な表示装置であって、
モバイル端末と通信する通信部と、
コンテンツを表示可能な表示部と、
前記表示部を制御可能な制御部と、を備え、
前記制御部は、
放送信号を介して取得した第１のコンテンツを前記表示部に表示し、
前記通信部が前記モバイル端末と第１の通信を行ったときに、前記表示部での前記第１のコンテンツの表示を終了し、
前記モバイル端末と前記第１の通信を行う前に前記モバイル端末の有する画面で表示していたコンテンツと同じコンテンツであって、表示内容が動的に変化する第２のコンテンツを、前記第１の通信により取得した、前記モバイル端末がログインしていたインターネットサイトのログインに関する情報を用いて、該インターネットサイトからインターネットを介して取得し、前記表示部で前記第２のコンテンツの表示を開始し、前記表示部における前記第２のコンテンツの表示の開始においては、前記第２のコンテンツの初期の表示内容で表示を開始するのではなく、前記第１の通信に基づいて表示内容が変化した表示状態で前記第２のコンテンツの表示を開始し、
前記通信部が、前記モバイル端末と、前記表示部で表示されている前記第２のコンテンツを操作するための第２の通信を行ったときに、前記第２の通信に基づいて前記表示部に表示されている第２のコンテンツの表示内容の操作制御を行い、
前記通信部が前記モバイル端末と第３の通信を行ったときに、前記表示部での前記第２のコンテンツの表示を終了し、前記表示部において、放送信号を介して受信したコンテンツの表示を開始する、
制御を行う、表示装置。
【請求項８】
請求項７に記載の表示装置において、
さらに映像処理部を備え、
前記映像処理部は、放送信号を介して取得したコンテンツとインターネットを介して取得したコンテンツの両者について映像処理を実行する、表示装置。